(57)【要約】【課題】画面サイズが制約される場合であっても視認性を向上させることにより、画像内容及びメモ内容を容易かつ確実（十分）に認識できるようにするとともに、更なる利便性の向上を図る。【解決手段】メモデータＤｍを表示する際に、当該メモデータＤｍに関係する画像データＤｖの有無を判別し、当該画像データＤｖが有るときは、画像データＤｖにメモデータＤｍを重ね合わせて表示するとともに、メモデータＤｍの背景Ｂｓを、全部が透明となる第一画面Ｖ１又は少なくとも一部が非透明となる第二画面Ｖ２に選択可能に表示する。【選択図】図１
2004155104.tif 000002
【特許請求の範囲】
【請求項１】
ディスプレイの画面に、メモデータと一緒に画像データを表示する射出成形機のデータ表示方法において、前記メモデータを表示する際に、当該メモデータに関係する前記画像データの有無を判別し、当該画像データが有るときは、前記画像データに前記メモデータを重ね合わせて表示するとともに、前記メモデータの背景を、全部が透明となる第一画面又は少なくとも一部が非透明となる第二画面に選択可能にしたことを特徴とする射出成形機のデータ表示方法。
【請求項２】
前記画像データ及び前記メモデータは、前記ディスプレイの画面の一部に設けたメモ表示部に表示することを特徴とする請求項１記載の射出成形機のデータ表示方法。
【請求項３】
前記メモデータは、成形条件に係わるメモデータであることを特徴とする請求項１記載の射出成形機のデータ表示方法。
【請求項４】
前記画像データには、少なくとも成形品に係わる画像又は書類に係わる画像の一方又は双方を含むことを特徴とする請求項１記載の射出成形機のデータ表示方法。
【請求項５】
前記第二画面は、メモデータを表示しない罫線の部分を所定幅のスリット状部により透明にすることを特徴とする請求項１記載の射出成形機のデータ表示方法。
【請求項６】
前記メモデータを表示する際に、前記画像データが無いときは、前記第二画面と同一色のダミー画面に前記メモデータを重ね合わせて表示することを特徴とする請求項１記載の射出成形機のデータ表示方法。
【発明の詳細な説明】
【０００１】
【発明の属する技術分野】
本発明は、ディスプレイの画面に、メモデータと一緒に画像データを表示する際に用いて好適な射出成形機のデータ表示方法に関する。
【０００２】
【従来の技術】
従来、ディスプレイの画面に、メモデータと一緒に画像データを表示できるようにした射出成形機は、既に、本出願人が提案した特開２００２−８６５３０号公報開示の射出成形機（制御装置）が知られている。
【０００３】
この射出成形機では、金型毎の条件メモデータを表示する第一のメモ画面に加えて第二のメモ画面を設け、第二のメモ画面に、条件メモデータ以外の汎用メモデータを入力して表示する表示処理機能を設けるとともに、汎用メモデータを、条件メモデータを含む他のデータに対して独立してデータ処理するデータ処理機能を設けたものであり、汎用メモデータに画像データを含ませることにより、画像データを汎用メモデータと一緒に第二のメモ画面に表示することができる。
【特許文献１】
特開２００２−８６５３０号公報
【０００４】
【発明が解決しようとする課題】
ところで、射出成形機に備えるディスプレイは、配設するスペースが制約されるため、画面サイズが限定されてしまうとともに、通常、前述したメモデータは、成形条件の設定や段取り等を行う際の参考情報として利用されるため、設定画面や段取り画面の一部に設けたメモ表示部に表示されることも多く、メモデータが表示される実質的（絶対的）な表示面積はかなり小さくなる。しかも、テキスト形式を用いるメモデータに対して、ＪＰＥＧ形式等の異なるデータ形式で作成される画像データを一緒に表示する際には、画像データをメモ表示部の一部に貼付けて表示するため、メモデータ及び画像データのそれぞれが表示される実質的な表示面積はさらに小さくなってしまう。
【０００５】
結局、画像データを含むメモデータを表示する従来のデータ表示方法では、ディスプレイに表示される画像データ及びメモデータの双方がかなり小さくなり、オペレータは、成形品等の画像内容を十分に認識できないとともに、メモも見えにくくなるなどの解決すべき課題が存在した。
【０００６】
本発明は、このような従来の技術に存在する課題を解決したものであり、画面サイズが制約される場合であっても視認性を向上させることにより、画像内容及びメモ内容を容易かつ確実（十分）に認識できるとともに、更なる利便性の向上を図ることができる射出成形機のデータ表示方法の提供を目的とする。
【０００７】
【課題を解決するための手段及び実施の形態】
本発明に係る射出成形機のデータ表示方法は、メモデータＤｍを表示する際に、当該メモデータＤｍに関係する画像データＤｖの有無を判別し、当該画像データＤｖが有るときは、画像データＤｖにメモデータＤｍを重ね合わせて表示するとともに、メモデータＤｍの背景Ｂｓを、全部が透明となる第一画面Ｖ１又は少なくとも一部が非透明となる第二画面Ｖ２に選択できるようにしたことを特徴とする。
【０００８】
この場合、好適な実施の態様により、画像データＤｖ及びメモデータＤｍは、ディスプレイ２の画面Ｖａの一部に設けたメモ表示部Ｖｍに表示することができる。また、メモデータＤｍには、成形条件に係わるメモデータを適用できるとともに、画像データＤｖには、少なくとも成形品に係わる画像又は書類に係わる画像の一方又は双方を含ませることができる。さらに、第二画面Ｖ２は、メモデータＤｍを表示しない罫線の部分を所定幅のスリット状部Ｅｓ…により透明にすることができる。なお、メモデータＤｍを表示する際に、画像データＤｖが無いときは、第二画面Ｖ２と同一色のダミー画面Ｖ３にメモデータＤｍを重ね合わせて表示することが望ましい。
【０００９】
【実施例】
次に、本発明に係る好適な実施例を挙げ、図面に基づき詳細に説明する。
【００１０】
まず、本実施例に係るデータ表示方法を実施できる射出成形機Ｍの構成について、図２及び図３を参照して説明する。
【００１１】
図２中、仮想線で示すＭは射出成形機であり、機台Ｍｂと、この機台Ｍｂ上に設置された射出装置Ｍｉ及び型締装置Ｍｃを備える。射出装置Ｍｉは、加熱筒１０を備え、この加熱筒１０の前端に図に現れない射出ノズルを有するとともに、加熱筒１０の後部には材料を供給するホッパ１１を備える。一方、型締装置Ｍｃには可動型と固定型からなる金型１２を備える。また、機台Ｍｂ上には側面パネル１３を起設し、この側面パネル１３にディスプレイユニット１５を配設する。このディスプレイユニット１５は、タッチパネル２ｔを付設したカラー液晶ディスプレイ等のディスプレイ２を備え、このディスプレイユニット１５は、機台Ｍｂに内蔵したコントローラ２０（図３）に接続する。
【００１２】
図３は、コントローラ２０のブロック系統図を示す。２１はＣＰＵであり、このＣＰＵ２１には内部バス２２を介してチップセット２３を接続する。また、チップセット２３には、ＰＣＩバス等のローカルバスを用いたバスライン２４を接続してＨＭＩ（ヒューマン・マシン・インタフェース）制御系を構成する。このため、バスライン２４には、ＲＡＭ，ＲＯＭ等の各種メモリ類を総括する内部メモリ２５を接続する。さらに、バスライン２４には、表示インタフェース２６を介して上述したディスプレイユニット１５を接続するとともに、入出力インターフェイス２７を介してメモリカード等の記憶メディア２８（外部メモリ）に対する読出及び書込を行うドライブユニット２９を接続する。
【００１３】
一方、チップセット２３には、バスライン２４と同様のバスライン３０を接続してＰＬＣ（プログラマブル・ロジック・コントローラ）制御系を構成する。このため、バスライン３０には、スイッチ等の切換データＤｉをＣＰＵ２１に付与し、かつＣＰＵ２１から得る制御指令データＤｏを対応するアクチュエータに付与する入出力インターフェイス３１を接続するとともに、各種センサの検出信号Ｓｉを、アナログ−ディジタル変換してＣＰＵ２１に付与し、かつＣＰＵ２１から得る制御指令データをディジタル−アナログ変換して得た制御信号Ｓｏを対応するアクチュエータに付与する入出力インターフェイス３２を接続する。これにより、所定のフィードバック制御系及びオープンループ制御系が構成される。
【００１４】
したがって、前述した内部メモリ２５には、ＰＬＣプログラムとＨＭＩプログラムを格納するとともに、各種処理プログラムを格納する。なお、ＰＬＣプログラムは、射出成形機Ｍにおける各種工程のシーケンス動作や射出成形機Ｍの監視等を実現するためのソフトウェアであり、ＨＭＩプログラムは、射出成形機Ｍの動作パラメータの設定及び表示，射出成形機Ｍの動作監視データの表示等を実現するためのソフトウェアである。これらのソフトウェアは、コントローラ２０を搭載する射出成形機Ｍの固有アーキテクチャとして構築され、特に、本実施例に係るデータ表示方法の処理を実行することができる。
【００１５】
次に、本実施例に係るデータ表示方法について、図１〜図１０を参照して説明する。
【００１６】
最初に、本実施例に係るデータ表示方法に用いる段取り画面について説明する。図１はディスプレイ２に表示される段取り画面Ｖａを示す。この段取り画面Ｖａには、上段と下段に、各種画面Ｖａ…を切換える画面項目毎に設けた複数の画面切換キーＫ１，Ｋ２，Ｋ３…を表示する。この画面切換キーＫ１…は、使用頻度の高さを考慮してランク分けされ、上段に、型開閉画面切換キーＫ１，エジェクタ画面切換キーＫ２，射出・計量画面切換キーＫ３，温度画面切換キーＫ４，モニタ画面切換キーＫ５，主要条件画面切換キーＫ６，条件切換画面切換キーＫ７を有する成形機の動作条件の設定に係わる第一のグループＧａを横一列に配するとともに、下段に、これ以外となる段取り画面切換キーＫ８，工程監視画面切換キーＫ９，生産情報画面切換キーＫ１０，波形画面切換キーＫ１１，統計画面切換キーＫ１２，トレンド画面切換キーＫ１３を有する第二のグループＧｂを横一列に配する。
【００１７】
各画面切換キーＫ１…は、段取り画面Ｖａを他の画面に切換えた場合でも同様に表示される。例えば、図２は工程監視画面切換キーＫ９を選択した場合の工程監視画面Ｖｃの概要を示し、図５は条件切換画面切換キーＫ７を選択した場合の条件切換画面Ｖｂａを示すが、各画面切換キーＫ１…は、図１に示した段取り画面Ｖａと同じ位置に同じ形状で表示される。なお、図１に表示される第二のグループＧｂは、第一階層が表示された状態であるが、画面右端の階層画面切換キーＫｃをタッチすることにより、第二階層における履歴画面切換キー，プログラム画面切換キー，信号レコーダ画面切換キー，診断画面切換キー等が、画面切換キーＫ８〜Ｋ１３と入れ替わる形で同様に表示される。また、コントローラ２０には、画面切換キーＫ１…の配列をユーザサイドで任意に変更できる配列変更機能及び変更後の配列を記憶する配列記憶機能を備えている。これにより、ユーザ自身が使い勝手を考慮して画面切換キーＫ１…の配列（順番）を任意に変更することができる。このようなレイアウト表示により、各画面切換キーＫ１…に表示される名称表示を変更する場合でも、ソフトウェアにより容易に対処でき、変更に伴う工数の削減及びコストダウンを図れるとともに、各画面切換キーＫ１…に対する視認性及び操作性を高めることができる。
【００１８】
そして、上段の画面切換キーＫ１…と下段の画面切換キーＫ８…の間には、段取り画面Ｖａの主要部分を表示する。主要部分に係る段取り画面Ｖａは、上側にガイダンス表示部５１を有するとともに、このガイダンス表示部５１の下側に、複数の項目選択ボタンＢ１…を有する。この項目選択ボタンＢ１…は段取りの種類に対応して設けられており、項目選択ボタンＢ１により「型取付」を、同ボタンＢ２により「自動型厚調整」を、同ボタンＢ３により「パージ」を、同ボタンＢ４により「型温調器」を、同ボタンＢ５により「オート起動設定」をそれぞれ選択できる。
【００１９】
また、項目選択ボタンＢ１…の下側には、メモ表示欄５２を有する。メモ表示欄５２は、汎用メモ表示部Ｖｅと成形条件メモ表示部Ｖｍを有し、汎用メモ表示部Ｖｅには、コントローラ２０に記憶した汎用メモデータＤｅを表示するとともに、成形条件メモ表示部Ｖｍには、前述した記憶メディア２８から読出してコントローラ２０側に読込んだ成形条件データＤｓと対で保存される成形条件メモデータＤｍ及び画像データＤｖを後述する本実施例に係るデータ表示方法により表示する。さらに、成形条件メモ表示部Ｖｍの下側には、画像データＤｖを表示させるか否かの選択を行う画像データ表示選択部５３を有する。この場合、チェックボックスにチェックマークを入れることにより画像データＤｖの表示を行うことができるとともに、チェックマークを外すことにより画像データＤｖの表示をマスキングできる。
【００２０】
ところで、成形条件メモ表示部Ｖｍに表示する成形条件メモデータＤｍ及び画像データＤｖは、成形条件データ（ファイルデータ）Ｄｓと一緒に、外部メモリとなる前述した記憶メディア２８に保存されているため、成形を行うに際しては、予め、記憶メディア２８から、目的の成形条件データＤｓと、この成形条件データＤｓに対応する成形条件メモデータＤｍ及び画像データＤｖを読出し、コントローラ２０に内蔵する内部メモリ２５のデータ格納エリアに読込む処理を行う。以下、この読込処理について、図５〜図７を参照しつつ図４に示すフローチャートに従って説明する。
【００２１】
まず、コントローラ２０におけるドライブユニット２７に、記憶メディア２８をセットする。この記憶メディア２８には、多数の成形条件データＤｓ…がファイル名を付して保存されている。成形条件データＤｓ…は、通常、テキスト形式により作成されるため、各成形条件データＤｓ…には、テキスト形式により作成された対応する成形条件メモデータＤｍ…が含まれる。また、各成形条件データＤｓ…に対応する画像データＤｖ…が存在する場合には、対応する成形条件データＤｓ…と同一のファイル名を使用し、拡張子部分に「．ＪＰＥＧ」又は「．ＢＭＰ」を使用することにより、対応する成形条件データＤｓ…と同一フォルダに保存する。なお、「．ＪＰＥＧ」はＪＰＥＧ形式の画像データＤｖに使用し、「．ＢＭＰ」はＢＭＰ形式の画像データＤｖに使用する。
【００２２】
一方、コントローラ２０のディスプレイ２に表示される条件切換画面切換キーＫ７をタッチして（ステップＳ１）、ディスプレイ２に、図５に示す条件切換画面Ｖｂａを表示させる（ステップＳ２）。この条件切換画面Ｖｂａは、上半部に、コントローラ２０の内部メモリ２５に保存されている全成形条件データＤｓ…のファイル名の一覧を表示する内部メディア表示欄５５を有するとともに、下半部に、記憶メディア２８に保存されている全成形条件データＤｓ…のファイル名の一覧を表示する外部メディア表示欄５６を有する。また、内部メディア表示欄５５の右側には、この内部メディア表示欄５５に用いる読込ボタン５７ａ，保存ボタン５７ｂ及び削除ボタン５７ｃを有するとともに、外部メディア表示欄５６の右側には、この外部メディア表示欄５６に用いる読込ボタン５８ａ，保存ボタン５８ｂ及び削除ボタン５８ｃを有する。これにより、保存ボタン５７ｂ及び５８ｂをタッチすれば、成形条件データＤｓ及び関係する画像データＤｖ（フォルダ）の保存処理を行うことができるとともに、削除ボタン５７ｃ及び５８ｃをタッチすれば、成形条件データＤｓ及び関係する画像データＤｖ（フォルダ）の削除処理を行うことができる（ステップＳ３，Ｓ４，Ｓ５）。
【００２３】
そして、成形条件データＤｓを読込む際には、外部メディア表示欄５６の読込ボタン５８ａをタッチする（ステップＳ３，Ｓ６）。これにより、ディスプレイ２には、図６に示す読込初期画面Ｖｂｂが表示される（ステップＳ７）。この初期画面Ｖｂｂには、現在の成形条件を表示する現成形条件表示部６１，記憶メディア２８に保存されている全成形条件データＤｓ…のファイル名の一覧を表示するメディア表示欄６２，プレビュー表示を行うプレビュー画面６３，選択されたファイル名を表示するファイル名表示部６４，プレビュー選択キー６５，読込キー６６，ＥＸＩＴキー６７等を有している。
【００２４】
次いで、読込初期画面Ｖｂｂのメディア表示欄６２から、読込む成形条件データＤｓを選択する（ステップＳ８）。この場合、ファイル名をタッチすることにより選択することができる。実施例では、図７に示すように、ファイル名のタッチにより、対応するチェックボックスにチェックマークが入る例を挙げたが、選択したファイル名の表示を白黒反転させてもよい。これにより、ファイル名表示部６４にはファイル名が表示される。
【００２５】
また、この選択した成形条件データＤｓを、直接読込むか或いはプレビュー表示した後に読込むかのいずれかを選択できる（ステップＳ９）。直接読込む場合には、読込キー６６をタッチすることにより、内部メモリ２５のデータ格納エリアに対する読込処理が直ちに行われる（ステップＳ１３）。この結果、既に読込まれている成形条件データ、即ち、現成形条件表示部６１に表示されている成形条件データに対する書換が行われる。
【００２６】
他方、プレビュー表示を行う場合には、プレビュー選択キー６５をタッチする（ステップＳ１０）。これにより、選択したファイル名に係る成形条件データＤｓ及び関係する画像データＤｖを含むフォルダが、内部メモリ２５内の一時記憶エリアに書込まれるとともに、プレビュー表示が行われる（ステップＳ１１）。図７がプレビュー選択キー６５をタッチした後の読込表示画面Ｖｂｃを示している。プレビュー表示の目的は、成形条件データＤｓの内容を確認できれば足りるため、プレビュー画面６３には、成形条件データＤｓを構成する個々のデータの中から成形条件データＤｓの内容を確認するためのデータのみを表示、即ち、成形条件データＤｓにおける一部のデータのみを表示する。なお、プレビュー表示するデータは、必要に応じて加工することができる。また、プレビュー表示には、成形条件データＤｓに付加された成形条件メモデータＤｍも一緒に表示される。さらに、成形条件データＤｓのフォルダ内には、この成形条件データＤｓに関係する図面や写真等の画像データＤｖも一緒に保存されているため、図７に示すように、別途のウィンドウ表示画面６８により画像データＤｖを表示させる。
【００２７】
そして、オペレータは、プレビュー表示された内容を確認し、目的の成形条件データＤｓであると確認できれば、読込キー６６をタッチする（ステップＳ１２，Ｓ１３）。これにより、内部メモリ２５の一時記憶エリアからデータ格納エリアへの読込処理（書替処理）が行われる。これに対して、プレビュー表示された内容を確認し、目的の成形条件データＤｓでない合には、再度、上述したステップＳ８に戻り、読込初期画面Ｖｂｂのメディア表示欄６２から他の成形条件データを選択する。これにより、再選択した成形条件データＤｓに対して上述した手順に従って同様の確認を行うことができる（ステップＳ１２，Ｓ８〜）。以上により、記憶メディア２８からコントロール２０側への成形条件メモデータＤｍを含む成形条件データＤｓ及び関係する画像データＤｖの読込処理が終了する。
【００２８】
次に、段取り画面Ｖａを用いた本実施例に係るデータ表示方法について、図１，図８及び図１０を参照しつつ図９に示すフローチャートに従って説明する。なお、図９に示すフローチャートにおいて、ステップＳ２１とＳ２２は、前述した読込処理を示している。
【００２９】
まず、段取り画面切換キーＫ８をタッチすることにより、図１に示す段取り画面Ｖａが表示される。段取り画面Ｖａには、前述した成形条件メモ表示部Ｖｍを有するため、この成形条件メモ表示部Ｖｍに、本実施例に係るデータ表示方法によって画像データＤｖと成形条件メモデータＤｍの表示処理が行われる。
【００３０】
ところで、本実施例に係るデータ表示方法では、予め成形条件メモデータ（テキストデータ）Ｄｍを表示するための背景Ｂｓを二種類設定する。即ち、全部が透明となる第一画面（第一レイヤ）Ｖ１と、少なくとも一部が非透明となる第二画面（第二レイヤ）Ｖ２を設定する。図８は、イメージ化した第一画面Ｖ１と第二画面Ｖ２を示している。背景Ｂｓに第一画面Ｖ１を設定した場合には、全面が透明になり、他方、背景Ｂｓに第二画面Ｖ２を設定した場合には、全面が白色で非透明になるとともに、成形条件メモデータＤｍが表示されない罫線の部分が所定幅のスリット状部Ｅｓ…により透明になる。また、第二画面Ｖ２と同一色に選定した全面が白色で非透明となるダミー画面（第三レイヤ）Ｖ３を設定する。
【００３１】
そして、表示処理に際しては、最初に、内部メモリ２５のデータ格納エリアに格納された成形条件データＤｓに係わるフォルダから、画像データＤｖの有無を判別する（ステップＳ２３）。この際、画像データＤｖが無ければ、第二画面Ｖ２を使用し、成形条件メモデータＤｍの背景を白に設定するとともに、ダミー画面Ｖ３を使用し、このダミー画面Ｖ３に対して第二画面Ｖ２を背景Ｂｓにした成形条件メモデータＤｍを重ね合わせて表示する（ステップＳ２４，Ｓ２５，Ｓ２６）。この状態を図８に矢印Ｆ１で示す。これにより、第二画面Ｖ２のスリット状部Ｅｓ…には、この第二画面Ｖ２と同一色となるダミー画面Ｖ３が表示される。よって、全面が白色となる背景に、成形条件メモデータＤｍがいわば普通の状態で表示されるため、画像データＤｖが無いときの表示品質をより高めることができる。
【００３２】
一方、画像データＤｖの有無を判別した際に（ステップＳ２３）、画像データＤｖが存在するときは、次の表示処理を行う。まず、画像データ表示選択部５３におけるチェックボックスにチェックマークを入れ、画像データＤｖを表示する選択を行った場合には（ステップＳ２７）、成形条件メモデータＤｍと画像データＤｖの双方を表示する。この場合、第一画面Ｖ１を使用して成形条件メモデータＤｍの背景を透明に設定するとともに、表示する際には、画像データＤｖに対して、第一画面Ｖ１を背景Ｂｓにした成形条件メモデータＤｍを重ね合わせて表示する（ステップＳ２８，Ｓ２９，Ｓ２６）。この状態を図８に矢印Ｆ２で示す。したがって、画像データＤｖと成形条件メモデータＤｍは、図１に示すように、重なった状態に表示され、双方とも成形条件メモ表示部Ｖｍに対しては、最大の大きさで表示されることになる。
【００３３】
ところで、画像データＤｖと成形条件メモデータＤｍが重なって表示された場合、重なった部分は見えにくくなる。通常、成形条件メモデータＤｍを表示する色は、赤色等の比較的目立つ色を使用することにより、重なった場合であっても見易いように考慮するが、成形条件メモデータＤｍと画像データＤｖの色が略同一となった場合、成形条件メモデータＤｍが読みにくくなることは避けられない。そこで、この場合には、画像データ表示選択部５３におけるチェックボックスからチェックマークを外し、画像データＤｖを表示しない選択を行う（ステップＳ２７）。この結果、成形条件メモデータＤｍと画像データＤｖは共に表示されるも、成形条件メモデータＤｍの背景は第二画面Ｖ２に変更される（ステップＳ３０，Ｓ２９，Ｓ２６）。この状態を図８に矢印Ｆ３で示す。したがって、この場合、メモデータＤｍはそのまま表示されるも、図１０に示すように、画像データＤｖは、第二画面Ｖ２により、そのほとんどがマスキングされることになり、第二画面Ｖ２におけるスリット状部Ｅｓ…に位置する部分Ｄｖｐ…のみが表示される。
【００３４】
よって、成形条件メモデータＤｍの表示部位の背景は白になるため、成形条件メモデータＤｍが読みにくくなる不具合は回避される。しかも、所定幅のスリット状部Ｅｓ…は、成形条件メモデータＤｍが表示されない罫線の部分にのみ設けられるため、成形条件メモデータＤｍには全く影響を与えない。他方、画像データＤｖの一部は、成形条件メモデータＤｍが存在しない罫線の部分におけるスリット状部Ｅｓ…を通して表示されるため、画像データＤｖの存在を知ることができる。例えば、オペレータが途中で交替しても、後退後のオペレータが画像データＤｖの存在を知ることができるため、画像データ表示選択部５３におけるチェックボックスにチェックマークを入れ、画像データＤｖを再表示させることができる。
【００３５】
本実施例に係るデータ表示方法によれば、成形条件メモデータＤｍを表示する際に、この成形条件メモデータＤｍに関係する画像データＤｖの有無を判別し、画像データＤｖが有るときは、画像データＤｖに成形条件メモデータＤｍを重ね合わせて表示するとともに、成形条件メモデータＤｍの背景Ｂｓを、全部が透明となる第一画面Ｖ１又は透明なスリット状部Ｅｓ…を有する白色（非透明）の第二画面Ｖ２に選択可能にしたため、サイズが制約された成形条件メモ表示部Ｖｍに対しても、画像データＤｖと成形条件メモデータＤｍの双方を最大の大きさで表示することができる。よって、視認性が向上し、オペレータは画像内容及びメモ内容を容易かつ確実（十分）に認識できる。特に、成形条件メモデータＤｍと画像データＤｖが重なり、成形条件メモデータＤｍが見にくいときには、第二画面Ｖ２を選択することにより、成形条件メモデータＤｍを見やすくすることができる。しかも、成形条件メモデータＤｍと画像データＤｖが重なることから、成形条件メモデータＤｍに、画像データＤｖの特定個所を直接説明することができる簡単な画像説明（コメント）を含ませることができるなど、更なる利便性向上を図ることができる。
【００３６】
そして、このような成形条件メモデータＤｍには、図１に示すような「色替えをしっかり行う」，「型温調：８０℃」等の成形条件データＤｓに関係する注意点や各種情報を含めることができるとともに、画像データＤｖには、成形品の外観写真や図面等に係わる画像、更には生産計画書，指示書等の各種書類に係わる画像を含ませることができる。したがって、工場内における紙類を不要又は削減することができる。
【００３７】
他方、汎用メモ表示部Ｖｅには、コントローラ２０に記憶した汎用メモデータＤｅを表示する。汎用メモデータＤｅには、「工具類整理整頓」，「グリス残量注意」等の射出成形機Ｍの使用に対する汎用的なメッセージや次回メンテナンス実施日等の汎用的なデータ等を含めることができる。
【００３８】
なお、段取り画面Ｖａでは、オペレータは表示されるガイダンスに従って容易に段取りを行うことができる。特に、各メモデータＤｍ，Ｄｖ及びＤｅは、段取り画面Ｖａ上に一緒に表示されるため、オペレータは、周辺機器の情報や微妙な調整に係わる留意点等に関するコメントを、重要な参考情報として利用できる。そして、段取り時には、段取り画面Ｖａにおける段取りの種類に対応して設けた複数の項目選択ボタンＢ１，Ｂ２，Ｂ３，Ｂ４…の選択を行えば、選択された所定の段取りに係わる個々の作業のガイダンスメッセージが、作業手順に沿って順次ガイダンス表示部等に表示されるため、オペレータは、ガイダンスに従って、容易かつ確実に段取り作業を行うことができる。
【００３９】
以上、実施例について詳細に説明したが、本発明はこのような実施例に限定されるものではなく、細部の構成，配置，数量，手法等において、本発明の要旨を逸脱しない範囲で任意に変更，追加，削除することができる。例えば、第二画面Ｖ２は、メモデータＤｍを表示しない罫線の部分を所定幅のスリット状部Ｅｓ…により透明にした場合を例示したが、全体を非透明にする場合を排除するものではない。また、背景Ｂｓの色として白を例示したが任意の色を用いることができる。一方、画像データＤｖ及びメモデータＤｍは、段取り画面Ｖａの成形条件メモ表示部Ｖｍに表示した場合を示したが、必要により任意の画面上の全部又は一部に表示することができる。さらに、メモデータＤｍとして、成形条件に係わるメモデータを挙げるとともに、画像データＤｖとして成形品に係わる画像及び書類に係わる画像を挙げたが、これらに限定されるものではない。
【００４０】
【発明の効果】
このように、本発明に係るデータ表示方法は、メモデータを表示する際に、当該メモデータに関係する画像データの有無を判別し、当該画像データが有るときは、画像データにメモデータを重ね合わせて表示するとともに、メモデータの背景を、全部が透明となる第一画面又は少なくとも一部が非透明となる第二画面に選択可能にしたため、次のような顕著な効果を奏する。
【００４１】
（１）  画面サイズが制約される場合であっても画像データとメモデータの双方を最大の大きさで表示することができる。したがって、視認性が向上し、オペレータは、画像内容及びメモ内容を容易かつ確実（十分）に認識できる。特に、メモデータと画像データが重なり、メモデータが見にくいときには、第二画面の選択によってメモデータを見易くすることができる。
【００４２】
（２）  メモデータと画像データが重なるため、メモデータに、画像データの特定個所を直接説明することができる簡単な画像説明（コメント）を含ませることができるなど、更なる利便性向上を図ることができる。
【００４３】
（３）  好適な実施の態様により、画像データに、少なくとも成形品に係わる画像又は書類に係わる画像の一方又は双方を含ませれば、工場内における紙類を不要又は削減することができる。
【００４４】
（４）  好適な実施の態様により、メモデータを表示しない罫線の部分を所定幅のスリット状部により透明にした第二画面を用いれば、メモデータに全く影響を与えることなく画像データの一部を表示させることができる。
【００４５】
（５）  好適な実施の態様により、メモデータを表示する際に、画像データが無いときは、第二画面と同一色のダミー画面にメモデータを重ね合わせて表示すれば、画像データが無いときの表示品質を高めることができる。
【図面の簡単な説明】
【図１】本発明の好適な実施例に係るデータ表示方法により表示した段取り画面図、
【図２】同データ表示方法を実施できる射出成形機の概要図、
【図３】同射出成形機に備えるコントローラの機能ブロック図、
【図４】同コントローラにデータを読込む際の処理手順を示すフローチャート、
【図５】同コントローラにデータを読込む際に用いる条件切換画面図、
【図６】同コントローラにデータを読込む際に用いる読込初期画面図、
【図７】同コントローラにデータを読込む際に用いる読込表示画面図、
【図８】同データ表示方法に用いる第一画面，第二画面，画像データ及びダミー画面の関係をイメージで示した作用説明図、
【図９】同データ表示方法の処理手順を示すフローチャート、
【図１０】同データ表示方法に用いる段取り画面の一部を示す作用説明図、
【符号の説明】
２      ディスプレイ
Ｄｍ    メモデータ
Ｄｖ    画像データ
Ｂｓ    背景
Ｖ１    第一画面
Ｖ２    第二画面
Ｖａ    画面（段取り画面）
Ｖｍ    メモ表示部（成形条件メモ表示部）
Ｅｓ…  スリット状部
Ｖ３    ダミー画面
【図１】
2004155104.tif 000003
【図２】
2004155104.tif 000004
【図３】
2004155104.tif 000005
【図４】
2004155104.tif 000006
【図５】
2004155104.tif 000007
【図６】
2004155104.tif 000008
【図７】
2004155104.tif 000009
【図８】
2004155104.tif 000010
【図９】
2004155104.tif 000011
【図１０】
2004155104.tif 000012